(57)【要約】【課題】  携帯端末機におけるメール接続料金を低減させる方法を提供すること。【解決手段】  携帯端末機から広告サービス提供サーバに接続し、当該広告サービス提供サーバから電子メールの送受信機能と広告表示機能を備えたメーラーをダウンロードするステップと、前記メーラーを用いて携帯端末機の利用者が作成した電子メール本文を前記広告掲載機能に含まれる広告データと共に送信先の携帯端末機に送信すると共に、メール使用量を前記広告サービス提供サーバに送信するステップと、前記広告サービス提供サーバにおいてそれぞれの携帯端末機におけるメール使用量を所定期間単位で集計し、その集計結果に応じた広告料金を算出し、各携帯端末機の利用者へ支払う手続きを実行するステップとを備え、各携帯端末機の利用者が前記ネットワーク提供者へ支払うメール接続料金を前記広告料金に応じて低減させる。【選択図】      図２
2006332724.tif 000002
【特許請求の範囲】
【請求項１】
ネットワーク提供者が提供するメール通信環境を使用して電子メールを携帯端末機同士で送受する電子メール送受信ネットワークにおいてメール接続料金を低減化する方法であって、
携帯端末機から広告サービス提供サーバに接続し、当該広告サービス提供サーバから電子メールの送受信機能と広告表示機能を備えたメーラーをダウンロードする第１のステップと、
ダウンロードした前記メーラーを用いて携帯端末機の利用者が作成した電子メール本文を前記広告掲載機能に含まれる広告データと共に送信先の携帯端末機に送信すると共に、メール使用量を前記広告サービス提供サーバに送信する第２のステップと、
前記広告サービス提供サーバにおいてそれぞれの携帯端末機におけるメール使用量を所定期間単位で集計し、その集計結果に応じた広告料金を算出し、各携帯端末機の利用者へ支払う手続きを実行する第３のステップとを備え、各携帯端末機の利用者が前記ネットワーク提供者へ支払うメール接続料金を前記広告料金に応じて低減させることを特徴とする携帯端末機におけるメール接続料金の低減化方法。
【発明の詳細な説明】
【技術分野】
【０００１】
本発明は、携帯端末機におけるメール接続料金を低減させる方法に関する。
【背景技術】
【０００２】
昨今インターネット等に代表されるネットワーク技術が急速に発展、普及し、インターネットに接続される携帯電話機、ＰＨＳ等の携帯端末機が利用されている。特に、メール機能はインターネットで頻繁に使用されるようになり、メール転送に係る費用についてもパケット定額制などが導入され、所定のメール接続料金を支払えば、パケット使用量に関係なくメール接続することができるようになっている。
一方、メール接続料金を広告掲載により無料にする方法が、例えば下記の特許文献１で提案されている。
【特許文献１】特開２００２−７８８２
【発明の開示】
【発明が解決しようとする課題】
【０００３】
しかしながら、パケット定額制で設定されている料金はメールを使用する利用者の多くにとって高い価格に設定されているため、そのメリットが少ない。
また、前記特許文献１で提案されている方法にあっては、メール機能をインターネットブラウザにて提供するため、メールを送信するごと、もしくはメールの下書きを行うごと等に、インターネット接続料金がかかり、サービス提供者や広告主の接続料の負担が大きいという問題がある。
【０００４】
本発明は、以上を鑑みてなされたものであり、携帯端末機におけるメール接続料金を広告を掲載することにより低減させる方法を提供することを目的とする。
【課題を解決するための手段】
【０００５】
上記目的を達成するために本発明は、ネットワーク提供者が提供するメール通信環境を使用して電子メールを携帯端末機同士で送受する電子メール送受信ネットワークにおいてメール接続料金を低減化する方法であって、
携帯端末機から広告サービス提供サーバに接続し、当該広告サービス提供サーバから電子メールの送受信機能と広告表示機能を備えたメーラーをダウンロードする第１のステップと、ダウンロードした前記メーラーを用いて携帯端末機の利用者が作成した電子メール本文を前記広告掲載機能に含まれる広告データと共に送信先の携帯端末機に送信すると共に、メール使用量を前記広告サービス提供サーバに送信する第２のステップと、前記広告サービス提供サーバにおいてそれぞれの携帯端末機におけるメール使用量を所定期間単位で集計し、その集計結果に応じた広告料金を算出し、各携帯端末機の利用者へ支払う手続きを実行する第３のステップとを備え、各携帯端末機の利用者が前記ネットワーク提供者へ支払うメール接続料金を前記広告料金に応じて低減させることを特徴とする。
【発明の効果】
【０００６】
本発明によれば、携帯端末機の利用者は広告サービス提供者から広告掲載料金ＭＡをメール使用量に応じて受領することになり、ネットワーク提供者に支払うメール接続料金ＭＢをＭＡ分だけ低減（節約）することができる。
【発明を実施するための最良の形態】
【０００７】
以下、図面を用いて本発明の実施の形態を詳細に説明する。
図１は、本実施の形態に係る携帯端末機１１におけるメール接続料金を広告掲載により無料にする方法の概略を示す図である。
携帯端末機１１におけるメール接続料金を広告掲載により無料にする方法は、メール１２を送信する利用者１が携帯端末機１１を用いて、サービス提供者３のサーバ３１から広告を掲載することができるメーラー３０８を予めダウンロードし、そのメーラーを用いてメール１２の作成し、送信するものである。
図１に示すシステムは、携帯端末機１１におけるメール接続料金を広告掲載により無料にする方法は、メール１２を送信する利用者１、メール１２を受信する利用者２、サービス提供者３、広告依頼主４、ネットワーク提供者５、ネットワーク５１等から構成されている。
サービス提供者３は、サーバ３１、利用者ＤＢ３０４、サービスＤＢ３０３、広告依頼主ＤＢ３０２を有する。
サーバ３１は、ネットワーク５１を介して、利用者ＤＢ３０４、サービスＤＢ３０３、広告依頼主ＤＢ３０２と接続されている。
サーバ３１は、利用者１の携帯端末機１１から受信した利用者１の個人情報を利用者ＤＢ３０４に登録する。また、利用者１の携帯端末機１１に、広告を掲載する機能を持ったメーラー３０８とメーラー３０８に対応した広告ファイルであるメーラー対応広告ファイル３０９を送信する。
【０００８】
サーバ３０１は、広告依頼主４の情報端末機４１から受信した広告依頼主４の個人情報と広告依頼主４が掲載したい広告の広告ファイル４３を広告依頼主ＤＢ３０２に登録する。
利用者ＤＢ３０４は、利用者１の個人情報である登録情報を予め利用者１から受信することによって登録している。
広告依頼主ＤＢ３０２は、広告依頼主４の個人情報である登録情報を予め広告依頼主４から受信することによって登録している。
サービスＤＢ３０３は、サーバ３１が広告依頼主ＤＢ３０２に保持されている広告ファイル４３を用いて作成したメーラー対応広告ファイル３０９を保持している。また、サーバ３１は、広告ファイル４３からメーラー３０８に対応したメーラー対応広告ファイル３０９を作成し、サービスＤＢ３０３に保持させる。
サービス提供者３は、広告依頼主４から広告掲載のために発生した広告費を徴収し、且つ利用者１に対し、メール使用量に応じたメール接続料金を支払う手続きを行う。
メール１２を送信する利用者１は、携帯端末機１１を有する。携帯端末機１１は、ネットワーク５１を介して、メール１２を受信する利用者２の携帯端末機２１、サービス提供者３のサーバ３１と接続される。また、携帯端末機１１は、サービス提供者３のサーバ３１が提供するメーラー３０８をダウンロードし、インストールする機能、メール１２を送信する機能を有する。
なお、利用者１は、メール接続料金をネットワーク提供者５に支払うことは言うまでもない。
【０００９】
メーラー３０８は、メーラー対応広告ファイル３０９を用いて、利用者１がメールを作成している間、メーラー３０８上に広告を掲載し、利用者１がメール１２を作成終了した後、メール１２を送信する。
メール１２は、利用者２の携帯端末機２１に送信されるとともに、メール使用量を通知するためにサーバ３１にも送信される。
メール１２を受信する利用者２は、携帯端末機２１を有する。携帯端末機２１は、ネットワーク５１を介して、メール１２を受信する。携帯端末機２１は、メール１２を受信し、閲覧する機能をもったメーラーを有する。
【００１０】
広告依頼主４は、情報端末機４１を有する。情報端末機４１は、ネットワーク５１を介して、サーバ３１と接続される。広告依頼主４は、利用者１のメール使用量に応じたメール接続料をサービス提供者３に支払う。
ネットワーク提供者５は、利用者１からメール接続料金を徴収する。
【００１１】
次に、携帯端末機１１におけるメール接続料金を広告を掲載することにより低減させる方法の処理手順を詳細に説明する。
図２及び図３は、携帯端末機１１におけるメール接続料金を広告を掲載することにより低減させる方法の処理手順を示すフローチャートである。
図４は広告依頼主ＩＤフォーム３０５、図５は広告依頼主登録フォーム３０６、図６は広告登録フォーム３０７、図７は利用者登録フォーム３１０を示す。図８は利用者１の携帯端末機１２のメーラー３０８起動時の画面である。図９は広告依頼主ＤＢ３０２の具体的なデータ構造、図１０はサービスＤＢ３０３のメーラー対応広告ファイル３０９の具体的なデータ構造、図１１は利用者登録ＤＢ３０４の具体的なデータ構造である。
【００１２】
図２に示すように、広告依頼主４は広告を依頼する場合、最初に、情報端末機４１を用いてサーバ３１にアクセスする（ステップ２０１）。
サーバ３１は、広告依頼主ＩＤフォーム３０５を情報端末機４１に送信する（ステップ２０２）。
広告依頼主４が広告依頼主ＩＤ４２を保持している場合（ステップ２０３）、広告依頼主４は広告依頼主ＩＤ４２を図４の広告依頼主ＩＤフォーム３０５に入力し、サーバ３１に送信する（ステップ２１１）。
広告依頼主４が広告依頼主ＩＤ４２を保持していない場合（ステップ２０３）、サーバ３０１は、図５の広告依頼主登録フォーム３０６を情報端末機４１に送信する（ステップ２０４）。
【００１３】
情報端末機４１は、広告依頼主登録フォーム３０６を受信し（ステップ２０５）、図５の広告依頼主登録フォーム３０６を表示し、個人情報である登録情報を広告依頼主４に入力させ送信する（ステップ２０６）。登録情報は、図５に例示しているように、会社名／団体名、業種、郵便番号／住所、電話番号、メールアドレス、社員数、資本金、ご担当者名、ご担当者連絡先等である。
サーバ３１は受け取った登録情報を広告依頼主ＤＢ３０２に登録、保持し（ステップ２０７）、広告依頼主ＩＤ４２を発行して情報端末機４１に送信する（ステップ２０８）。
情報端末機４１は、図４の広告依頼主ＩＤ４２を受信する（ステップ２０９）。この後、サーバ３１は図５の広告依頼主登録フォーム３０６を送信する（ステップ２１０）。広告依頼主４は図５の広告依頼主登録フォーム３０６に登録情報を入力し、サーバ３１に送信する（ステップ２１１）。
【００１４】
サーバ３１は、図６の広告登録フォーム３０７を送信する（ステップ２１２）。
広告依頼主４は、図６の広告登録フォーム３０７に掲載したい広告を入力し、送信する（ステップ２１３）。掲載したい広告は、テキスト形式、画像、音声等である。
サーバ３１は、広告を受信し、広告依頼主ＤＢ３０２に登録する（ステップ２１４）。広告依頼主ＤＢ３０２に登録されるデータは、図９に示すようなものである。
サーバ３０１は、広告依頼主ＤＢ３０２が保持している広告期間内の広告ファイル４３を用いて、広告を掲載する機能を持ったメーラー３０８に対応した広告ファイル４３であるメーラー対応広告ファイル３０９を作成し、サービスＤＢ３０３に登録、保持させる（ステップ２１５）。メーラー対応広告ファイル３０９の内容は、図１０に示すようなものである。
広告依頼主４は、広告掲載料金をサービス提供者３に支払う（ステップ２１６）。
広告依頼主４が、広告依頼主登録を行うことにより、次回より広告登録は広告依頼主ＩＤ４２にて可能とする。
【００１５】
図３に示すように、利用者１はメール１２を作成、送信する場合、最初に、携帯端末機１１を用いてサーバ３１にアクセスする（ステップ３０１）。サーバ３１は、図７の利用者登録フォーム３１０を携帯端末機１１に送信する（ステップ３０２）。
携帯端末機１１は、利用者登録フォーム３１０を受信し（ステップ３０３）、利用者登録フォーム３１０を表示し、個人情報である登録情報を利用者に入力させ送信する（ステップ３０４）。登録情報は、図７に例示しているように、氏名、性別、生年月日、郵便番号／住所、電話番号、メールアドレス、職業、所得、家族構等である。
サーバ３０１は受け取った登録情報を利用者ＤＢ３０４に登録、保持し（ステップ３０５）、利用者ＩＤ３１１を発行し、広告を掲載する機能を持ったメーラー３０８及びメーラー３０８に対応した広告ファイル４３であるメーラー対応広告ファイル３０９を携帯端末機１１に送信する（ステップ３０６）。利用者ＤＢ３０４に登録される情報は図１１に示すようなものである。
【００１６】
携帯端末機１１は、利用者ＩＤ３１０、広告を掲載する機能を持ったメーラー３０８及びメーラー３０８に対応した広告ファイル４３であるメーラー対応広告ファイル３０９を受信し、メーラー３０８を携帯端末機１１にインストールする（ステップ３０７）。
携帯端末機１１は、メーラー３０８を起動し、メール作成画面にて利用者に図８に示すようなメール本文２１を作成させ、さらにあて先を入力させ、利用者１の携帯端末機１１にメール１２を送信するとともに、サーバ３１にメール使用量を送信する（ステップ３０８）。
【００１７】
利用者２の携帯端末機２１は携帯端末機１１からのメール１２を受信し、利用者２はメール１２を閲覧する（ステップ３０９）。
サーバ３１は、携帯端末機１１から送信されたメール使用量を記憶したメールを受信し、利用者ＩＤ３１１毎にメール使用量を利用者ＤＢ３０４に保持する（ステップ３１０）。
利用者１は、メール接続料金をネットワーク提供者５に支払う（ステップ３１１）。
サービス提供者３は、メール使用量に応じた料金を利用者１に支払う（ステップ３１２）。
【００１８】
以上のように、本実施の形態によれば、利用者１は携帯端末機１１を用いて無料にてメールを送信し、広告依頼主４は利用者１の携帯端末機１２のメーラー３０８上に広告を掲載することにより、携帯端末機の利用者が支払うメール接続料金を削減することができ、しかも広告依頼主はメールの使用回数が増大するほど広告内容を携帯端末機の利用者に浸透させることができる。
【図面の簡単な説明】
【００１９】
【図１】本発明の実施の形態を示すシステム構成図である。
【図２】各構成要素の処理手順の流れを示すフローチャートである。
【図３】各構成要素の処理手順の流れを示すフローチャートである。
【図４】広告依頼主ＩＤフォームの例を示す図である。
【図５】広告依頼主登録フォームの例を示す図である。
【図６】広告登録フォームの例を示す図である。
【図７】利用者登録フォームの例を示す図である。
【図８】メール作成画面の例を示す図である。
【図９】広告依頼主ＤＢのデータ構造の例を示す図である。
【図１０】サービスＤＢのデータ構造の例を示す図である。
【図１１】利用者登録ＤＢのデータ構造の例を示す図である。
【符号の説明】
【００２０】
１    利用者
５    ネットワーク提供者
１１，２１    携帯端末機
３１    サービス提供者のサーバ
３０８  メーラー
３０９  メーラー対応広告ファイル
【図１】
2006332724.tif 000003
【図２】
2006332724.tif 000004
【図３】
2006332724.tif 000005
【図４】
2006332724.tif 000006
【図５】
2006332724.tif 000007
【図６】
2006332724.tif 000008
【図７】
2006332724.tif 000009
【図８】
2006332724.tif 000010
【図９】
2006332724.tif 000011
【図１０】
2006332724.tif 000012
【図１１】
2006332724.tif 000013